(57)【要約】【課題】  簡易な構成であって正確に動作し、かつ容易に設置することができる免震建築のエレベーター昇降路ずれ検出装置を得る。【解決手段】  低層部昇降路１の上に免震装置を介して構築した高層部昇降路２を設け、高層部昇降路２に第一マグネット３を設け、低層部昇降路１に第一マグネット３に対するずれが第一所定値を超えたときに動作する第一リードスイッチ４を設ける。また、低層部昇降路１に第二マグネット５を設け、高層部昇降路２に第二マグネット５に対する水平方向のずれが第一所定値を超えたときに動作する第二リードスイッチを設ける。  これによって、塵埃や汚れ等によって低層部昇降路１及び高層部昇降路２の間のずれ検出精度の低下を防ぎ異常時制御を確実化し、かつ二種の異常時制御を可能とする。【選択図】        図１
2005126170.tif 000002
【特許請求の範囲】
【請求項１】
建築の低層部に形成された低層部昇降路及び上記低層部の上に免震装置を介して設けられた上記建築の高層部に形成されて上記低層部昇降路と直列に配置された高層部昇降路の両者、これら両者の一方に設けられた円柱状の第一マグネットと、上記両者の他方に設けられて上記第一マグネットと対向して配置され、上記第一マグネットに対する水平方向のずれが第一所定値を超えたときに動作する第一リードスイッチと、上記両者の一方に設けられた円柱状の第二マグネットと、上記両者の他方に設けられて上記第二マグネットと対向して配置され、上記第二マグネットに対する水平方向のずれが上記第一所定値よりも大きい第二所定値を超えたときに動作する第二リードスイッチとを備えた免震建築のエレベーター昇降路ずれ検出装置。
【請求項２】
第一マグネットを低層部昇降路及び高層部昇降路の両者の一方に設け、第二マグネットを上記両者の他方に設け、かつ上記第一マグネット及び第二マグネットを、互いに同極が対向する姿勢に装着したことを特徴とする請求項１記載の免震建築のエレベーター昇降路ずれ検出装置。
【発明の詳細な説明】
【技術分野】
【０００１】
この発明は、建築の低層部及びこの低層部の上に免震装置を介して設けられた建築の高層部に縦通して形成された昇降路を対象とする免震建築のエレベーター昇降路ずれ検出装置に関する。
【背景技術】
【０００２】
建築の低層部に低層部昇降路が設けられ、また低層部の上に免震ゴム等の免震装置を介して設けられた建築の高層部に高層部昇降路が設けられる。そして、低層部昇降路と高層部昇降路が直列に配置されてエレベーターの昇降路が形成される。このようなエレベーター昇降路は、強風等によって建築の側面に力が作用したときに低層部昇降路と高層部昇降路の両者の間に水平方向のずれが生じる。このため、上記両者間のずれによってエレベーターの正常な運行が阻害される。
【０００３】
このため、上記両者間のずれを検出する必要があって、従来の免震建築のエレベーター昇降路ずれ検出装置においては、垂直方向に形成されたエレベーターの昇降路の上方部に発信部と下方部に受信部とを対向して設置し、これらの間に発信部から発信された信号の受信部への到達を、水平方向の所定範囲でのみ可能とする制限手段を配置し、さらに発信部からの信号が受信部で検知されているときのみエレベーターの運転を可能とする制御手段を具備する。これにより、エレベーターのガイドレールなどの変位が許容範囲内にあるときのみエレベーターの運転を可能とするように構成している。（例えば、特許文献１参照）。
【０００４】
【特許文献１】特開平１０−１３９３０８号公報（要約）
【発明の開示】
【発明が解決しようとする課題】
【０００５】
従来の免震建築のエレベーター昇降路ずれ検出装置では、発信部として光発生器、受信部として光電変換器が使用されるので、塵埃や汚れ等によって上記両者間のずれ検出が不正確になるという問題点があった。また、上記両者間のずれ検出が所定値を超えた場合の一点のみであるので、ずれ検出装置の作動によってエレベーターの運行を速やかに停止し、その後の運行を休止せざるを得ないことになる。
【０００６】
この発明は、かかる問題点を解消するためになされたものであり、簡易な構成であって正確に動作し、かつ容易に設置することができる免震建築のエレベーター昇降路ずれ検出装置を得ることを目的とする。
【課題を解決するための手段】
【０００７】
この発明に係る免震建築のエレベーター昇降路ずれ検出装置においては、建築の低層部に形成された低層部昇降路及び建築の低層部の上に免震装置を介して設けられた建築の高層部に形成されて低層部昇降路と直列に配置された高層部昇降路の両者、これら両者の一方に設けられた円柱状の第一マグネットと、上記両者の他方に設けられて第一マグネットと対向して配置され、第一マグネットに対する水平方向のずれが第一所定値を超えたときに動作する第一リードスイッチと、上記両者の一方に設けられた円柱状の第二マグネットと、上記両者の他方に設けられて第二マグネットと対向して配置され、第二マグネットに対する水平方向のずれが第一所定値よりも大きい第二所定値を超えたときに動作する第二リードスイッチとが設けられる。
【発明の効果】
【０００８】
この発明による免震建築のエレベーター昇降路ずれ検出装置は、簡易な構成であって低層部昇降路及び高層部昇降路の両者間のずれ検出精度が、塵埃や汚れ等によって低下することを防ぐことができ、上記両者間のずれ検出時におけるエレベーターの異常時制御を確実化する効果がある。また、第一リードスイッチの動作によってエレベーターを第一異常時制御し、第二リードスイッチの動作によってエレベーターを第二異常時制御することができる。これによって、上記両者間のずれの発生状況に対応して適切にエレベーターを異常時制御でき、上記両者間のずれ発生時における過度な異常時処置を解消し、過剰な異常時処置に伴う二次的な不具合の発生を防ぐ効果がある。さらに、第一マグネット、第一リードスイッチ等を狭いスペースに容易に配置することができて昇降路ずれ検出装置の設置自由度を向上する効果がある。
【発明を実施するための最良の形態】
【０００９】
実施の形態１．
図１〜図５は、この発明の実施の形態を示す図で、図１は低層部昇降路及び高層部昇降路の対向箇所を概念的に示す縦断面図、図２は昇降路ずれがないときの図１における第一マグネットと第一リードスイッチの状況を示す図、図３は昇降路ずれが発生したときの図１における第一マグネットと第一リードスイッチの状況を示す図、図４はリードスイッチの動作を説明するグラフ、図５は昇降路ずれが発生したときの図１相当図である。
【００１０】
図において、図示が省略してあるが建築の低層部の上に免震装置を介して建築の高層部が設けられる。そして、建築の低層部にエレベーターの低層部昇降路１が設けられ、また建築の高層部に低層部昇降路１と直列に配置された高層部昇降路２が設けられる。また、高層部昇降路２に円柱状の第一マグネット３がＮ極を下にして設けられ、また低層部昇降路１に第一マグネット３とギャップＣを介して対向して第一リードスイッチ４が設けられる。
【００１１】
また、低層部昇降路１に円柱状の第二マグネット５がＮ極を上にして設けられ、また高層部昇降路２に第二マグネット５とギャップＣを介して対向して第二リードスイッチ６が設けられる。そして、第一マグネット３等から磁力線７が発生し、また第一リードスイッチ４等の動作特性により図４に示すように動作曲線８、復帰曲線９が形成される。なお、低層部昇降路１及び高層部昇降路２の両者間に水平方向のずれがない状態では、図１に示すように第一マグネット３と第一リードスイッチ４は相互に一つの鉛直線上に配置され、また第二マグネット５と第二リードスイッチ６は相互に一つの鉛直線上に配置される。
【００１２】
そして、第一リードスイッチ４は第二マグネット５の磁力の影響を受けず、第二リードスイッチ６は第一マグネット３の磁力の影響を受けない位置に、第一リードスイッチ４及び第二リードスイッチ６が水平方向において互いに離れて配置される。また、上記両者間に水平方向のずれが発生して第一所定値を超えた場合に第一リードスイッチ４が動作し、また上記両者間に水平方向のずれが発生して第一所定値よりも大きい第二所定値を超えたときに第二リードスイッチ６が動作する。
【００１３】
上記のように構成された免震建築のエレベーター昇降路ずれ検出装置において、上記両者間に水平方向のずれがない場合には、例えば図２に示すように第一マグネット３のＮ極から出る磁力線７は第一リードスイッチ４の一方の端子を通り、内部の接点部を経て第一マグネット３のＳ極に至る。この状態では第一リードスイッチ４の接点は閉成した状態となる。
【００１４】
また、上記両者間に水平方向のずれが生じた場合には、例えば図３に示すように第一マグネット３のＮ極から出る磁力線７は第一リードスイッチ４の内部を通ることなく第一マグネット３のＳ極に至る。したがって、この状態では第一リードスイッチ４の接点は閉成から開放状態となり上記両者間の水平方向のずれ発生が検出される。また、円柱状の第一マグネット３及び第二マグネット５が設けられているので、磁力が水平方向の全方位に偏ることなく生じる。
【００１５】
このため、上記両者間の水平方向のずれ発生方向によって、例えば第一マグネット３の磁力線７の変位による第一リードスイッチ４の動作に差異が生じることがない。したがって、上記両者間の水平方向のずれ発生方向による第一リードスイッチ４の誤動作を防止でき、動作信頼性の高い昇降路ずれ検出装置を得ることができる。また、例えば第一マグネット３と第一リードスイッチ４の中心軸線を一致して配置したことによって、上記両者間のずれ発生の水平方向における全方位について同じ精度で変位を検出でき、動作信頼性の高い昇降路ずれ検出装置を得ることができる。
【００１６】
なお、第一リードスイッチ４等の動作には応差があり、上記両者間に水平方向のずれが発生して第一所定値を超えた場合に第一リードスイッチ４が動作した場合に、図４に示すように復帰曲線９は動作曲線８よりも内側に形成される。そして、上記両者間に図５に示す水平方向において変位量Ａ(X) 又は変位量Ｂ(Y)のずれが発生した場合に、変位量Ａ(X) 又は変位量Ｂ(Y)は第一リードスイッチ４が動作し、第二リードスイッチ６が動作しない変位量とする。
【００１７】
そして、第一リードスイッチ４において第一マグネット３の磁力線７は第一リードスイッチ４内部を通ることなく第一マグネット３のＳ極に至る。したがって、この状態では第一リードスイッチ４の接点は閉から開となり第一リードスイッチ４が動作して、上記両者間に水平方向のずれが発生して第一所定値を超えたことが検出される。また、第二リードスイッチ６において第二マグネット５の磁力線７は第二リードスイッチ６内部を通り第二マグネット５のＳ極に至る。
【００１８】
したがって、この状態では第二リードスイッチ６の接点は閉のままとなり第二リードスイッチ６が非動作となって上記両者間に水平方向のずれが非検出となる。また、上記両者間に水平方向のずれが図５に示す状態よりもさらに増大すると、第二リードスイッチ６において第二マグネット５の磁力線７は第二リードスイッチ６内部を通ることなく第二マグネット５のＳ極に至る。これにより、第二リードスイッチ６の接点は閉から開となり第二リードスイッチ６が動作して、上記両者間に水平方向の第一所定値よりも大きいずれが発生して第二所定値を超えたことが検出される。
【００１９】
そして、上記両者間に水平方向のずれが発生して第一リードスイッチ４が動作した場合、すなわち第一所定値を超えたときに制御装置（図示しない）が動作してエレベーターを低速運転する等の第一異常時制御が行われる。また、上記両者間に水平方向のずれ発生がさらに増大して第二リードスイッチ６が動作した場合、すなわち第二所定値を超えたときに制御装置（図示しない）が動作してエレベーターの運転を一時休止する等の第二異常時制御が行われる。
【００２０】
また、高層部昇降路２に第一マグネット３が設けられ、低層部昇降路１に第一マグネット３と対向して第一リードスイッチ４が設けられる。そして、低層部昇降路１に第二マグネット５が設けられ、高層部昇降路２に第二マグネット５と対向して第二リードスイッチ６が設けられる。また、第一リードスイッチ４は第二マグネット５の磁力の影響を受けず、第二リードスイッチ６は第一マグネット３の磁力の影響を受けない位置に、第一リードスイッチ４及び第二リードスイッチ６が互いに離れて配置される。
【００２１】
これによって、簡易な構成であって塵埃や汚れ等によって上記両者間のずれ検出の精度が低下することを防ぐことができ、上記両者間のずれ検出時にエレベーターの運転を確実に異常時制御することができる。したがって、上記両者間のずれに伴う異常事態の発生を未然に防止することができる。また、第一マグネット３、第一リードスイッチ４等を狭いスペースに容易に配置することができて昇降路ずれ検出装置の設置自由度を向上することができる。
【００２２】
また、第一リードスイッチ４の動作によってエレベーターを第一異常時制御し、第二リードスイッチ６の動作によってエレベーターを第二異常時制御する。これによって、上記両者間のずれの発生状況に対応して適切にエレベーターを異常時制御し、上記両者間のずれ発生時における過度な異常時処置を解消し、過剰な異常時処置に伴う二次的な不具合の発生を防ぐことができる。
【００２３】
さらに、第一マグネット３と第二マグネット５の双者は上記両者間のずれ発生によって互いに接近する。しかし、高層部昇降路２に第一マグネット３がＮ極を下にして設けられ、また低層部昇降路１に第二マグネット５がＮ極を上にして設けられる。すなわち、上記双者は互いに同極が対向する姿勢に設置されるので、上記両者間のずれ発生によって上記双者が互いに接近した場合に、互いに反発し合うことから上記双者の衝突を防止できて衝突による損傷を防ぐことができる。
【図面の簡単な説明】
【００２４】
【図１】この発明の実施の形態１を示す図で、低層部昇降路及び高層部昇降路の対向箇所を概念的に示す縦断面図。
【図２】昇降路ずれがないときの図１における第一マグネットと第一リードスイッチの状況を示す図。
【図３】昇降路ずれが発生したときの図１における第一マグネットと第一リードスイッチの状況を示す図。
【図４】リードスイッチの動作を説明するグラフ。
【図５】昇降路ずれが発生したときの図１相当図。
【符号の説明】
【００２５】
１  低層部昇降路、２  高層部昇降路、３  第一マグネット、４  第一リードスイッチ、５  第二マグネット、６  第二リードスイッチ。
【図１】
2005126170.tif 000003
【図２】
2005126170.tif 000004
【図３】
2005126170.tif 000005
【図４】
2005126170.tif 000006
【図５】
2005126170.tif 000007